(57)【要約】  【課題】商品を横倒し転動にて商品を搬出すると、商品シュート上で商品の搬出速度が加速するため搬出時に商品に加わる衝撃力が大きくなり、傷つき、搬出音の増大、強炭酸飲料等の泡吹きがしやすいという課題がある。  【解決手段】商品シュート１０６は内方から外方に向かって傾斜する傾斜面１０６ｂ、１０６ｃを形成し、商品収納室１０２下端と商品シュート１０６の間に落下した商品１０５の姿勢を変える制御部材１０９を設けることにより、商品シュート１０６上に落下した商品１０５を長手方向が商品取出口の方向に向けて回転維持しそのまま商品取出口に送出されるので転動時と比べ緩やかな速度で商品１０５を商品取出口へ送出できる。【選択図】図２
2007293751.tif 000002
【特許請求の範囲】
【請求項１】
商品収納室から落下した商品を商品取出口へ案内する商品シュートを前記商品収納室の下方に傾斜して備えるとともに、前記商品収納室内に収納された前記商品が横倒し姿勢で前記商品シュートに落下送出される自動販売機において、前記商品シュートは内方から外方に向かって傾斜する傾斜面を形成し、前記商品収納室下端と前記商品シュートの間に落下した商品の姿勢を変える制御部材を設け、前記商品シュート上に落下した商品は前記制御部材に接触し、かつ前記商品シュートの傾斜面との関係で前記商品の長手方向が前記商品取出口の方向に向けて回転維持し、そのまま前記商品取出口に送出されることを特徴とする自動販売機。
【請求項２】
商品収納室は左右方向に複数並設し、前記各商品収納室に対して商品シュートを独立して形成したことを特徴とする請求項１に記載の自動販売機。
【請求項３】
商品シュートの傾斜面に複数の凸部を備えたことを特徴とする請求項１または２に記載の自動販売機。
【請求項４】
前記制御部材は、回動自在に軸支され回動範囲を規制したことを特徴とする請求項１から３のいずれか一項に記載の自動販売機。
【発明の詳細な説明】
【技術分野】
【０００１】
本発明は、商品払出装置を備えた商品収納質から搬出された商品を商品シュートを介して商品取出口に送出する自動販売機に関するものである。
【背景技術】
【０００２】
従来、この種の自動販売機は、商品の送出時の姿勢を商品シュート上で転動可能な状態に制御しているものがある（例えば、特許文献１参照）。
【０００３】
図５，図６は、特許文献１に記載された従来の自動販売機を示すものである。図５，図６に示すように商品収納室１下端と商品シュート２との間に形成される商品落下通路３内に左右外方から相対向して内側にそれぞれ低く傾斜する傾斜面４を両側に形成した弾性を有する制御部材５を設けている。
【０００４】
以上のように構成された自動販売機について、以下その動作を説明する。
【０００５】
まず、商品収納室１から落下送出される商品は、落下中にその長手方向の後端部が制御部材５の傾斜面４に接触することにより商品が商品取出口６方向に対して転動可能な方向に回転して商品シュート２上に落下する。
【０００６】
そして、商品は商品シュート２上を転動しながら商品取出口６まで送出される。
【特許文献１】実開昭６０−００５５７５号公報
【発明の開示】
【発明が解決しようとする課題】
【０００７】
しかしながら、上記従来の構成では、商品を商品シュート２上に転動可能な方向に制御しており、商品収納室１から落下送出される商品は、商品シュート２上で転動することにより送出速度が加速し、商品取出口６で商品に大きな衝撃力が加わり、搬出音が大きい、商品の傷つき、強炭酸飲料の泡吹き等という課題を有していた。
【０００８】
本発明は、上記従来の課題を解決するもので、商品搬出時の商品に加わる衝撃力を抑えることにより搬出音の低減、商品の傷つき抑制、強炭酸の泡吹き等を抑制できる自動販売機を提供することを目的とする。
【課題を解決するための手段】
【０００９】
上記従来の課題を解決するために、本発明の自動販売機は、商品シュートは外方から内方に向かって傾斜する傾斜面を形成し、商品収納室下端と商品シュートの間に落下した商品の姿勢を変える制御部材を設け、商品シュート上に落下した商品は制御部材に接触し、かつ商品シュートの傾斜面との関係で商品の長手方向が商品取出口の方向に向けて回転維持しそのまま商品取出口に送出されることにより、商品は商品シュート上で長手方向の向きに滑走することとなり、商品シュートとの摩擦抵抗により安定かつ（転動時と比べ）緩やかな速度で商品を商品取出口へ送出できるものである。
【発明の効果】
【００１０】
本発明の自動販売機は、商品収納室下端から搬出され商品シュート上に落下した商品を、制御部材と商品シュートの傾斜面との関係で商品の長手方向に姿勢制御するとともにその姿勢を維持し商品シュート上を滑走させることができるので、商品と商品シュートとの摩擦抵抗により安定かつ（転動時と比べ）緩やかな速度で商品を商品取出口へ送出でき、商品落下送出時の商品への衝撃力を抑えることができる。
【００１１】
また、商品が商品取出口へ送出される際に通過する断熱壁開口部面積を（商品の胴径寸法よりやや大きい程度にすればよく）大幅に小さくすることが出来る。
【００１２】
また、商品収納室は左右方向に複数並設し、前記各商品収納室に対して商品シュートを独立して形成しているので、商品シュートの形状を少種簡素化できる。
【００１３】
また、商品シュートの傾斜面に複数の凸部を備えているので、商品シュートが粉塵等により汚れた場合であっても、商品は凸部上の粉塵等を凸部外へ除去しながら凸部上を滑走するため、粉塵等の介在による摩擦抵抗の変動を抑えることができ、安定した商品送出ができる。
【発明を実施するための最良の形態】
【００１４】
請求項１に記載の発明は、商品収納室から落下した商品を商品取出口へ案内する商品シュートを前記商品収納室の下方に傾斜して備えるとともに、前記商品収納室内に収納された前記商品が横倒し姿勢で前記商品シュートに落下送出される自動販売機において、前記商品シュートは外方から内方に向かって傾斜する傾斜面を形成し、前記商品収納室下端と前記商品シュートの間に落下した商品の姿勢を変える制御部材を設け、前記商品シュート上に落下した商品は前記制御部材に接触し、かつ前記商品シュートの傾斜面との関係で前記商品の長手方向が前記商品取出口の方向に向けて回転維持し、そのまま前記商品取出口に送出されることにより、商品は商品シュート上で長手方向の向きに滑走することとなり、商品シュートとの摩擦抵抗により安定かつ（転動時と比べ）緩やかな速度で商品を商品取出口へ送出でき、商品落下送出時の商品への衝撃力を抑えることが出来き、商品が商品取出口へ送出される際に通過する断熱壁開口部面積を（商品の胴径寸法よりやや大きい程度にすればよく）大幅に小さくすることが出来る。
【００１５】
請求項２に記載の発明は、請求項１に記載の発明の自動販売機において商品収納室は左右方向に複数並設し、前記各商品収納室に対して商品シュートを独立して形成したことにより、商品シュートの形状を少種簡素化できる。
【００１６】
請求項３に記載の発明は、請求項１または請求項２に記載の発明の自動販売機において商品シュートの傾斜面に複数の凸部を備えたことにより、商品シュートが粉塵等により汚れた場合であっても、商品は凸部上の粉塵等を凸部外へ除去しながら凸部上を滑走するため、粉塵等の介在による摩擦抵抗の変動を抑えることができ、安定した商品送出ができる。
【００１７】
請求項４に記載の発明は、請求項１から３のいずれか一項に記載の発明において、前記制御部材は、回動自在に軸支され回動範囲を規制したことにより、規制部材より商品取出口側での商品の自由度を向上することができ、搬出性能を向上することができる。
【００１８】
以下、本発明の実施の形態について、図面を参照しながら説明するが、従来例または先に説明した実施の形態と同一構成については同一符号を付して、その詳細な説明は表略する。なお、この実施の形態によってこの発明が限定されるものではない。
【００１９】
（実施の形態１）
図１は、本発明の実施の形態１における自動販売機の要部断面図である。
【００２０】
図２および図３は、同実施の形態の商品シュート近傍の斜視図である。
【００２１】
図１において、自動販売機１０１の図示しない内側天井部に吊り下げられ左右方向に複数並設された商品収納室１０２と、商品収納室１０２下部に備えられた商品搬出装置１０３と、自動販売機１０１前面下部に設けられた商品取出口１０４と、商品収納室１０２の下方に傾斜して備えられ、商品搬出装置１０３より搬出された商品１０５を商品取出口１０４へ案内する商品シュート１０６と、を備えている。
【００２２】
また、商品シュート１０６前端と商品取出口１０４との間には断熱壁１０７が設けられ、断熱壁１０７には商品シュート１０６により案内された商品１０５を商品取出口１０４側へ通過させるための開口部１０７ａと回動自在に軸支されたフラップ１０８が設けられ、フラップ１０８は商品１０５の通過以外は開口部１０７ａを閉じるよう備えられている。
【００２３】
図２において、商品シュート１０６は、各商品収納室１０２に対して独立して形成しており、基準傾斜面１０６ａと基準傾斜面１０６ａ左右両端から外方に向かって傾斜する傾斜面１０６ｂ、１０６ｃを形成し、さらにこれら先端部については商品収納室１０２幅に合わせて垂直面１０６ｄ，１０６ｅを構成し商品収納室１０２下部に取り付けられている。
【００２４】
また、商品収納室１０２下端と商品シュート１０６の間に制御部材１０９を設け、商品収納室１０２にストックされた商品１０５が商品搬出装置１０３の動作により搬出されると商品１０５は商品シュート１０６上に落下後、商品１０５の一端が制御部材１０９に接触しかつ商品シュート１０６の各傾斜面１０６ａ，１０６ｂ，１０６ｃ，１０６ｄ，１０６ｅとの関係により長手方向が商品取出口１０４の方向に向けて回転維持するように構成している。
【００２５】
また、商品シュート１０６の各傾斜面１０６ａ，１０６ｂ，１０６ｃ，１０６ｄには、米粒大程度の比較的高さの低いなだらかな凸部１１０を複数設けている。
【００２６】
以上のように構成された自動販売機について、以下、その動作、作用を説明する。
【００２７】
まず、商品収納商品収納室１０２にストックされた商品１０５が商品搬出装置１０３の動作により搬出されると商品１０５は商品シュート１０６上に落下する。この時点で商品１０５は、横倒しかつ長手方向が横向き状態となっている。そのため、商品１０５の一端が制御部材に接触することとなり、この商品の一端は制御部材１０９に規制され商品取出口１０４の方向へ滑走することができない。
【００２８】
また、商品１０５の他端は商品シュート１０６の基準面１０６ａあるいは傾斜面１０６ｂに接触しており、他端は商品取出口１０４の方向へ滑走することができるため、商品１０５は長手方向が商品取出口１０４の方向に向く方向に回転する。
【００２９】
また、商品シュート１０６は基準傾斜面１０６ａと基準傾斜面１０６ａ左右両端から外方に向かって傾斜する傾斜面１０６ｂ、１０６ｃを形成しているため、商品１０５を基準傾斜面１０６ａ上に集め、かつ長手方向が商品取出口１０４の方向に向く方向に規制および維持しながら、商品１０５を商品取出口方向へ滑走および案内する。
【００３０】
以上のように、本実施の形態では、商品シュート１０６は、各商品収納室１０２に対して独立して形成しており、基準傾斜面１０６ａと基準傾斜面１０６ａ左右両端から外方に向かって傾斜する傾斜面１０６ｂ、１０６ｃを形成し、さらにこれら先端部については商品収納室１０２幅に合わせて垂直面１０６ｄ，１０６ｅを構成し商品収納室１０２下部に取り付けられている。
【００３１】
また、商品収納室１０２下端と商品シュート１０６の間に制御部材１０９を設け、商品収納室１０２にストックされた商品１０５が商品搬出装置１０３の動作により搬出されると商品１０５は商品シュート１０６上に落下後、商品１０５の一端が制御部材１０９に接触しかつ商品シュート１０６の各傾斜面１０６ａ、１０６ｂ、１０６ｃ、１０６ｄ、１０６ｅとの関係により長手方向が商品取出口１０４の方向に向けて回転維持するように構成しているため、商品は商品シュート上で長手方向の向きに滑走することとなり、商品シュートとの摩擦抵抗により安定かつ（転動時と比べ）緩やかな速度で商品を商品取出口へ送出でき、商品落下送出時の商品への衝撃力を抑えることが出来き、商品が商品取出口へ送出される際に通過する断熱壁開口部面積を（商品の胴径寸法よりやや大きい程度にすればよく）大幅に小さくすることができる。
【００３２】
また、商品シュート１０６上を商品１０５が滑走する時において、商品シュート１０６の各傾斜面１０６ａ、１０６ｂ、１０６ｃ、１０６ｄには、米粒大程度の比較的高さの低いなだらかな凸部１１０を複数設けているため、商品シュート１０５が粉塵等により汚れた場合であっても、商品１０５は凸部上の粉塵等を凸部１１０外へ除去しながら凸部１１０上を滑走するため、粉塵等の介在による摩擦抵抗の変動を抑えることができ、安定した商品送出ができる。
【００３３】
（実施の形態２）
図４は、本発明の実施の形態２における自動販売機の要部断面図である。
【００３４】
図４において、商品シュート１０６は、各商品収納室１０２に対して独立して形成しており、基準傾斜面１０６ａと基準傾斜面１０６ａ左右両端から外方に向かって傾斜する傾斜面１０６ｂ、１０６ｃを形成し、さらにこれら先端部を商品収納室１０２幅に合わせて垂直面１０６ｄ、１０５ｅを構成し商品収納室１０２下部に取り付けられている。
【００３５】
また、商品収納室１０２下端と商品シュート１０６の間に制御部材１１１を設け、商品収納室１０２にストックされた商品１０５が商品搬出装置１０３の動作により搬出されると商品１０５は商品シュート１０６上に落下後、商品１０５の一端が制御部材１１１に接触しかつ商品シュート１０６の各傾斜面１０６ａ、１０６ｂ、１０６ｃ、１０６ｄ、１０６ｅとの関係により長手方向が商品取出口１０４の方向に向けて回転維持するように構成している。
【００３６】
また、制御部材１１１は商品収納室１０２下部に回動自在に軸支されており、自重により通常は下方向に向いて待機しているが、この待機状態から手前側には回動しないように回動範囲を規制された構成となっている（奥側には回動可能）。
【００３７】
以上のように構成された自動販売機について、以下、その動作、作用を説明する。
【００３８】
まず、商品収納商品収納室１０２にストックされた商品１０５が商品搬出装置１０３の動作により搬出されると商品１０５は商品シュート１０６上に落下する。この時点で商品１０５は、横倒しかつ長手方向が横向き状態となっている。そのため、商品１０５の一端が制御部材に接触することとなり、この商品の一端は制御部材１０９に規制され商品取出口１０４の方向へ滑走することができない。
【００３９】
また、商品１０５の他端は商品シュート１０６の基準面１０６ａあるいは傾斜面１０６ｂに接触しており、他端は商品取出口１０４の方向へ滑走することができるため、商品１０５は長手方向が商品取出口１０４の方向に向く方向に回転する。また、商品シュート１０６は基準傾斜面１０６ａと基準傾斜面１０６ａ左右両端から外方に向かって傾斜する傾斜面１０６ｂ、１０６ｃを形成しているため、商品１０５を基準傾斜面１０６ａ上に集め、かつ長手方向が商品取出口１０４の方向に向く方向に規制および維持しながら、商品１０５を商品取出口方向へ滑走および案内する。
【００４０】
以上のように、本実施の形態では、商品シュート１０６は、各商品収納室１０２に対して独立して形成しており、基準傾斜面１０６ａと基準傾斜面１０６ａ左右両端から外方に向かって傾斜する傾斜面１０６ｂ、１０６ｃを形成し、さらにこれら先端部については商品収納室１０２幅に合わせて垂直面１０６ｄ、１０６ｅを構成し商品収納室１０２下部に取り付けられている。
【００４１】
また、商品収納室１０２下端と商品シュート１０６の間に制御部材１０９を設け、商品収納室１０２にストックされた商品１０５が商品搬出装置１０３の動作により搬出されると商品１０５は商品シュート１０６上に落下後、商品１０５の一端が制御部材１０９に接触しかつ商品シュート１０６の各傾斜面１０６ａ、１０６ｂ、１０６ｃ、１０６ｄ、１０６ｅとの関係により長手方向が商品取出口１０４の方向に向けて回転維持するように構成しているため、商品は商品シュート上で長手方向の向きに滑走することとなり、商品シュートとの摩擦抵抗により安定かつ（転動時と比べ）緩やかな速度で商品を商品取出口へ送出でき、商品落下送出時の商品への衝撃力を抑えることが出来き、商品が商品取出口へ送出される際に通過する断熱壁開口部面積を（商品の胴径寸法よりやや大きい程度にすればよく）大幅に小さくすることができる。
【００４２】
また、商品シュート１０６上を商品１０５が滑走する時において、商品シュート１０６の各傾斜面１０６ａ、１０６ｂ、１０６ｃ、１０６ｄには、米粒大程度の比較的高さの低いなだらかな凸部１１０を複数設けているため、商品シュート１０５が粉塵等により汚れた場合であっても、商品１０５は凸部上の粉塵等を凸部１１０外へ除去しながら凸部１１０上を滑走するため、粉塵等の介在による摩擦抵抗の変動を抑えることができ、安定した商品送出ができる。
【００４３】
また、制御部材１１１は商品収納室１０２下部に回動自在に軸支されており、自重により通常は下方向に向いて待機しているが、この待機状態から手前側には回動しないように回動範囲を規制された構成となっている（奥側には回動可能）ため、規制部材１０９より商品取出口１０４側での商品１０５の自由度を向上することができ、搬出性能を向上することができる。
【産業上の利用可能性】
【００４４】
以上のように、本発明にかかる自動販売機は商品を商品シュート上で長手方向の向きに滑走させ、商品シュートとの摩擦抵抗により安定かつ（転動時と比べ）緩やかな速度で商品を商品取出口へ送出できるため、商品落下送出時の商品への衝撃力を抑えることができ、また、商品が商品取出口へ送出される際に通過する断熱壁開口部面積を（商品の胴径寸法よりやや大きい程度にすればよく）大幅に小さくすることが出来る。
【図面の簡単な説明】
【００４５】
【図１】本発明の実施の形態１における自動販売機の要部断面図
【図２】同実施の形態の商品シュート近傍の斜視図
【図３】同実施の形態の商品シュート近傍の斜視図
【図４】本発明の実施の形態２における自動販売機の要部断面図
【図５】従来の自動販売機を示す図
【図６】従来の自動販売機を示す図
【符号の説明】
【００４６】
１０１  自動販売機
１０２  商品収納室
１０３  商品搬出装置
１０４  商品取出口
１０５  商品
１０６  商品シュート
１０９  制御部材
１１０  凸部
１１１  制御部材
【図１】
2007293751.tif 000003
【図２】
2007293751.tif 000004
【図３】
2007293751.tif 000005
【図４】
2007293751.tif 000006
【図５】
2007293751.tif 000007
【図６】
2007293751.tif 000008